(57)【特許請求の範囲】
【請求項１】
基台に回転可能に取り付けられ、所定の供給手段から供給される被計量物を受け取る受取手段と、
該受取手段で受け取った前記被計量物を圧縮する圧縮手段と、
該圧縮手段で圧縮された前記被計量物を均す均し手段と、
該均し手段で均された前記被計量物の余剰部分を切断する切断手段と、
該切断手段で切断された前記被計量物を外部に排出する排出手段とを備え、
前記圧縮手段は、前記受取手段の半径方向に放射状に複数形成されると共に、少なくとも一部に前記基台の表面が露出する所定深さの長穴と、該各長穴内に嵌め込められると共に前記受取手段の回転に伴って前記半径方向に沿って往復移動可能な入れ子とを備え、前記各長穴における前記受取手段の外周側の内壁と前記各入れ子の端部との間に形成される所定容量の空間に収容された前記被計量物を前記各入れ子の前記外周側への移動によって圧縮するように構成され、
前記排出手段は、前記基台に形成される排出孔と、前記受取手段の回転に伴って前記排出孔に到来した圧縮後の前記被計量物を前記排出孔から下方に押し出す押圧機構とから構成され、
前記各入れ子は、前記受取手段の底面に前記各長穴に対応して前記半径方向に放射状に形成される作動用長穴に挿通される作動子を備え、
前記受取手段の下方には、前記各入れ子の各作動子を係合させて、前記受取手段の回転に伴って前記入れ子を前記半径方向に沿って往復移動させるカム溝を有するカム部材が設けられ、
前記カム溝は、前記受取手段の回転に伴って、前記各入れ子が前記被計量物の供給位置から前記排出孔に近付くに従って前記空間が狭まるように移動し、当該排出孔から前記供給位置に戻るに従って前記空間が広がるように移動するように形成されている、
ことを特徴とする計量装置。
【請求項２】
前記各入れ子は、前記外周側となる端部が凹型に成形されていることを特徴とする請求項１に記載の計量装置。
【請求項３】
前記均し手段は、前記被計量物の供給位置から前記排出孔に至る途中に設けられ、前記各空間に収容されて上方に露出する前記被計量物を押圧する押圧部材を有することを特徴とする請求項１または請求項２に記載の計量装置。
【請求項４】
前記切断手段は、前記均し手段から前記排出孔に至る途中に所定の高さで設けられる丸刃で構成されることを特徴とする請求項１から請求項３の何れかに記載の計量装置。
【請求項５】
前記受取手段の回転に伴って、前記所定の供給手段から供給される被計量物が前記受取手段の外周側に移動するように案内する案内部材がさらに設けられることを特徴とする請求項１から請求項４の何れかに記載の計量装置。
【請求項６】
前記被計量物が含水性である場合に、前記圧縮手段による圧縮で前記被計量物から滲み出た水分を逃がす排水部が前記基台に形成されることを特徴とする請求項１から請求項５の何れかに記載の計量装置。
【請求項７】
請求項１から請求項６の何れかに記載の計量装置を備えることを特徴とする被計量物の個装装置。
【発明の詳細な説明】
【技術分野】
【０００１】
本発明は、計量装置および計量装置を用いた被計量物の個装装置に関するものである。
【背景技術】
【０００２】
従来から、例えば寿司などに添えられる甘酢漬けにした薄片生姜（通称「ガリ」）や紅生姜などの食品や医薬品等の粉末などを所定分量に小分けして樹脂袋等で個装したものが存在する。
【０００３】
これらの食品などを小分けする際には、所定分量を計測するために計量装置が必要とされる。
【０００４】
ところで、計量装置に関する技術は、種々提案されている。
【０００５】
例えば、特開２０００−１６８７３２号公報には、充填物を袋に投入しつつ袋全体を台秤上で計量できる充填計量装置が開示されている。
【０００６】
また、特開平９−１７８５４２号公報には、一定量毎を効率よく計量することができ、所定量毎の物品を収容した袋又は容器詰めの製品を短時間で得ることができる計量装置が開示されている。
【先行技術文献】
【特許文献】
【０００７】
【特許文献１】特開２０００−１６８７３２号公報
【特許文献２】特開平９−１７８５４２号公報
【発明の概要】
【発明が解決しようとする課題】
【０００８】
しかしながら、前記従来技術においては、被計量物が不定形である場合には計量結果にばらつきが生じやすいという問題があった。
【０００９】
特に、上述のような甘酢漬けにした薄片生姜や紅生姜のような不定形で且つ含水性の被計量物は、食味を失わない程度に水分を抜いた上で計量することが望ましいが、前記従来技術に係る計量装置では、このような要求に応えることはできなかった。
【００１０】
本発明は、上述の技術的背景からなされたものであって、被計量物が不定形であっても計量精度を向上させることのできる計量装置およびこの計量装置を用いた被計量物の個装装置を提供することを目的とする。
【課題を解決するための手段】
【００１１】
前記課題を解決するため、請求項１の発明に係る計量装置は、基台に回転可能に取り付けられ、所定の供給手段から供給される被計量物を受け取る受取手段と、該受取手段で受け取った前記被計量物を圧縮する圧縮手段と、該圧縮手段で圧縮された前記被計量物を均す均し手段と、該均し手段で均された前記被計量物の余剰部分を切断する切断手段と、該切断手段で切断された前記被計量物を外部に排出する排出手段とを備え、前記圧縮手段は、前記受取手段の半径方向に放射状に複数形成されると共に、少なくとも前記基台の表面の一部が露出する所定深さの長穴と、該各長穴内に嵌め込められると共に前記受取手段の回転に伴って前記半径方向に沿って往復移動可能な入れ子とを備え、前記各長穴における前記受取手段の外周側の内壁と前記各入れ子の端部との間に形成される所定容量の空間に収容された前記被計量物を前記各入れ子の前記外周側への移動によって圧縮するように構成され、前記排出手段は、前記基台に形成される排出孔と、前記受取手段の回転に伴って前記排出孔に到来した圧縮後の前記被計量物を前記排出孔から下方に押し出す押圧機構とから構成され、前記各入れ子は、前記受取手段の底面に前記各長穴に対応して前記半径方向に放射状に形成される作動用長穴に挿通される作動子を備え、前記受取手段の下方には、前記各入れ子の各作動子を係合させて、前記受取手段の回転に伴って前記入れ子を前記半径方向に沿って往復移動させるカム溝を有するカム部材が設けられ、前記カム溝は、前記受取手段の回転に伴って、前記各入れ子が前記被計量物の供給位置から前記排出孔に近付くに従って前記空間が狭まるように移動し、当該排出孔から前記供給位置に戻るに従って前記空間が広がるように移動するように形成されている、ことを特徴とする。
【００１２】
請求項２の発明に係る計量装置は、請求項１に記載の発明について、前記各入れ子は、前記外周側となる端部が凹型に成形されていることを特徴とする。
【００１４】
請求項３の発明に係る計量装置は、請求項１または請求項２に記載の発明について、前記均し手段は、前記被計量物の供給位置から前記排出孔に至る途中に設けられ、前記各空間に収容されて上方に露出する前記被計量物を押圧する押圧部材を有することを特徴とする。
【００１５】
請求項４の発明に係る計量装置は、請求項１から請求項３の何れかに記載の発明について、前記切断手段は、前記均し手段から前記排出孔に至る途中に所定の高さで設けられる丸刃で構成されることを特徴とする。
【００１６】
請求項５の発明に係る計量装置は、請求項１から請求項４の何れかに記載の発明について、前記受取手段の回転に伴って、前記所定の供給手段から供給される被計量物が前記受取手段の外周側に移動するように案内する案内部材がさらに設けられることを特徴とする。
【００１７】
請求項６の発明に係る計量装置は、請求項１から請求項５の何れかに記載の発明について、前記被計量物が含水性である場合に、前記圧縮手段による圧縮で前記被計量物から滲み出た水分を逃がす排水部が前記基台に形成されることを特徴とする。
【００１８】
請求項７の発明に係る被計量物の個装装置は、請求項１から請求項６の何れかに記載の計量装置を備えることを特徴とする。
【発明の効果】
【００１９】
本発明によれば以下の効果を奏することができる。
【００２０】
すなわち、請求項１に記載の発明によれば、被計量物が不定形であっても計量精度を向上させる計量装置を提供することができるという効果がある。
また、請求項１に記載の発明によれば、被計量物が不定形であっても効率的に計量することができるという効果がある。
【００２１】
請求項２に記載の発明によれば、計量精度をより向上させることができる。
【００２３】
請求項３に記載の発明によれば、被計量物を均して計量精度をより向上させることができる。
【００２４】
請求項４に記載の発明によれば、被計量物の余剰部分を切断して計量精度をより向上させることができる。
【００２５】
請求項５に記載の発明によれば、被計量物の計量をより効率的に行うことができる。
【００２６】
請求項６に記載の発明によれば、被計量物が含水性である場合に、滲み出た水分を逃がして利便性を向上させることができる。
【００２７】
請求項７に記載の発明によれば、被計量物が不定形であっても計量精度を向上させる被計量物の個装装置を提供することができるという効果がある。
【図面の簡単な説明】
【００２８】
【図１】実施の形態に係る計量装置Ｍの全体構成を示す斜視図である。
【図２】実施の形態に係る計量装置Ｍの構成例を示す分解斜視図である。
【図３】実施の形態に係る計量装置Ｍの要部を構成するターンテーブル１０１の構成例を示す斜視図である。
【図４】実施の形態に係る計量装置Ｍの要部を構成する入れ子２０１の構成例を示す斜視図である。
【図５】実施の形態に係る計量装置Ｍの要部を構成する基台１００の構成例を示す斜視図である。
【図６】実施の形態に係る計量装置Ｍの要部を構成するカム部材５００の構成例を示す斜視図である。
【図７】実施の形態に係る計量装置Ｍの動作を示す説明図である。
【図８】実施の形態に係る計量装置Ｍの一部を構成する押圧部材６００の構成例を示す斜視図である。
【図９】実施の形態に係る個装装置９００の構成例を示す側面図である。
【図１０】実施の形態に係る個装装置９００の構成例を示す平面図である。
【発明を実施するための形態】
【００２９】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３０】
図１から図１０を参照して、本発明についての実施の形態に係る計量装置Ｍについて説明する。
【００３１】
図１等に示すように、本実施の形態に係る計量装置Ｍは、樹脂により円板状に形成される基台１００に回転可能（図１では矢印Ａ方向に回転される）に取り付けられ、別途設けられるホッパー（所定の供給手段の一例）等から供給される被計量物（例えば、甘酢漬けにした薄片生姜や紅生姜等の食品など）を受け取る樹脂製のターンテーブル１０１（受取手段の一例）と、このターンテーブル１０１で受け取った被計量物を圧縮する圧縮手段Ｃと、この圧縮手段Ｃで圧縮された被計量物を均す均し手段Ｒと、この均し手段Ｒで均された被計量物の余剰部分（例えば、上方にはみ出た部分）を切断する切断手段Ｋと、この切断手段Ｋで切断された被計量物を外部に排出する排出手段Ｄとを備えている。
【００３２】
なお、図示は省略するが、ターンテーブル１０１は、モータを駆動源とする駆動軸に連結されて駆動されるようになっている。
【００３３】
図１から図３に示すように、圧縮手段Ｃは、ターンテーブル１０１の半径方向に放射状に複数形成されると共に、基台１００の表面１００ａが露出する所定深さの長穴２００と、各長穴２００内に嵌め込められると共にターンテーブル１０１の回転に伴って半径方向に沿って往復移動可能な入れ子２０１とを備える。
【００３４】
そして、各長穴２００におけるターンテーブル１０１の外周側の内壁１０１ａと各入れ子２０１の端部２０１ａとの間に形成される当初容量（例えば、最終計量を製品の一般的重量６ｇを目標とした場合には１５．７ｃｃ）の空間Ｓに収容された被計量物を各入れ子２０１の外周側への移動によって圧縮するように構成される。なお、各入れ子２０１のより詳細な移動の仕方については後述する。
【００３５】
また、排出手段Ｄは、基台１００に形成される排出孔１５０（図２、図５参照）と、ターンテーブル１０１の回転に伴って排出孔１５０に到来した圧縮後（例えば、最終計量を製品の一般的重量６ｇを目標とした場合には７．４ｃｃ）の被計量物を排出孔１５０から下方に押し出す押圧機構Ｐとから構成される。
【００３６】
なお、押圧機構Ｐの詳細については省略するが、図１に現れるような押出ロッド３００を例えばモータ機構、エアシリンダ等のアクチュエータにより、所定のタイミングで昇降させるようになっている。
【００３７】
また、図４等に示すように、入れ子２０１は、長穴２００に嵌め込まれた際に外周側となる端部２０１ａが凹型に成形されている。
【００３８】
これにより、長穴２００の端部と入れ子２０１の端部２０１ａとで、平面形状が略円形あるいは略楕円形の空間Ｓが形成される。
【００３９】
さらに、各入れ子２０１には、ターンテーブル１０１の底面１０１ｂに各長穴２００に対応して半径方向に放射状に形成される作動用長穴４００に挿通される作動子２０１ｂが一体形成されている。
【００４０】
また、計量装置Ｍにおいて、図２、図６等に示すように、ターンテーブル１０１の下方にあって、各入れ子２０１の各作動子２０１ｂを係合させて、ターンテーブル１０１の回転に伴って入れ子２０１を半径方向に沿って往復移動させるカム溝５００ａを有するカム部材５００が設けられている。
【００４１】
そして、図６に示すように、カム溝５００ａは、ターンテーブル１０１の回転に伴って、各入れ子２０１が被計量物の供給位置（例えば、図１における位置Ｂ）から排出孔１５０に近付くに従って空間Ｓが狭まるように移動（図７参照）し、排出孔１５０から供給位置Ｂに戻るに従って空間Ｓが広がるように移動（図７参照）するように形成されている。
【００４２】
なお、図２、図５に示すように、本実施の形態において、カム部材５００は、基台１００の底面に形成される嵌合部１５１に嵌め込まれて固定されるようになっている。
【００４３】
均し手段Ｒは、図１に示すように、被計量物の供給位置Ｂから排出孔１５０に至る途中に設けられ、各空間Ｓに収容されて上方に露出する被計量物を押圧する押圧部材６００を有している。
【００４４】
この押圧部材６００は、特には限定されないが、本実施の形態では、例えば図８に示すようなスクリュー状の押圧用羽根６００ａを備えるように構成され、押圧用羽根６００ａが下方を向くようにして軸６０１で軸受部材６０２に取り付けられている（図１参照）。
【００４５】
切断手段Ｋは、例えば、均し手段Ｒから排出孔１５０に至る途中に所定の高さで設けられる丸刃７００で構成される。
【００４６】
また、本実施の形態に係る計量装置Ｍには、ターンテーブル１０１の回転に伴って、前記所定の供給手段から供給される被計量物がターンテーブル１０１の外周側に移動するように案内する案内部材７５０が取り付けられている（図１参照）。
【００４７】
また、図２に示すように、ターンテーブル１０１の上方には、内壁を構成する内壁部材８００を介して図示しない駆動軸に螺合される留め具８０１と、蓋部材８０２が設けられている。
【００４８】
また、基台１００には、ターンテーブル１０１から落下して来る被計量物から滲み出た水分を外部に逃がすための排水溝１５２と排水孔（図示せず）とが設けられている。
【００４９】
ここで、上記構成の計量装置Ｍの動作について説明する。
【００５０】
まず、モータ等の駆動源を起動させて、ターンテーブル１０１の回転を開始させる。
【００５１】
次いで、供給位置Ｂにおいて、ホッパー等から甘酢漬けにした薄片生姜や紅生姜などの被計量物が供給される。
【００５２】
被計量物は、ターンテーブル１０１の上に載置された状態で矢印Ａ方向に移動され（図１等参照）、案内部材７５０に案内されて、長穴２００におけるターンテーブル１０１の外周側の内壁１０１ａと各入れ子２０１の端部２０１ａとの間に形成される空間Ｓに自然落下により収容されて、さらに矢印Ａ方向に移動される。
【００５３】
この際に、ターンテーブル１０１が矢印Ａ方向に移動するに連れて、カム部材５００のカム溝５００ａと入れ子２０１の作動子２０１ｂとの作用によって、空間Ｓは徐々に狭まっていく。
【００５４】
これにより、空間Ｓの収容されている被計量物は徐々に圧縮されることとなる。
【００５５】
続いて、ターンテーブル１０１の回転により空間Ｓが均し手段Ｒに到来すると、均し手段Ｒを構成する押圧用羽根６００ａの作用によって、被計量物は空間Ｓ内に強制的に押し込まれる。
【００５６】
次いで、ターンテーブル１０１の矢印Ａ方向への移動に伴って空間Ｓの収容されている被計量物はさらに圧縮され、切断手段Ｋとしての丸刃７００に到来すると、空間Ｓの上方にはみ出ている被計量物の余剰部分が切断される。
【００５７】
続いて、ターンテーブル１０１の矢印Ａ方向への移動に伴って空間Ｓが押圧機構Ｐの位置に到来すると、押圧機構Ｐが作動して押出ロッド３００が降下し、被計量物を基台１００の排出孔１５０から外部に押し出す。
【００５８】
これにより、被計量物が甘酢漬けにした薄片生姜や紅生姜等の食品などの不定形であっても計量精度を向上させることができる。
【００５９】
特に、甘酢漬けにした薄片生姜や紅生姜のような不定形で且つ含水性の被計量物について、食味を失わない程度に水分を抜きつつ計量することが可能となる。
【００６０】
また、排出孔１５０の下方に、被計量物を個装する装置を配置することにより、所定の分量に計量された被計量物を迅速に個装することが可能となる。
【００６１】
次に、図９および図１０を参照して、上記構成の計量装置Ｍを用いた個装装置９００の構成例について説明する。
【００６２】
個装装置９００は、図１０に示すように、２台の計量装置Ｍ１、Ｍ２を搭載している。
【００６３】
なお、各計量装置Ｍ１、Ｍ２は、水平面に対して５°程度の傾きを付けて設けられている（図９上では、左側が下がるように傾斜されている）。
【００６４】
これにより、被計量物が含水性である場合に、ターンテーブル１０１から落下して来る被計量物から滲み出た水分を排水溝１５２と排水孔を介して外部に逃がすことができる。
【００６５】
各計量装置Ｍ１、Ｍ２の上方には、被計量物を計量装置Ｍ１、Ｍ２のターンテーブル１０１に供給するホッパー９０１が設けられている。
【００６６】
図上、個装装置９００の右側には、個装用の樹脂袋の連続体９０４を搬送する搬送装置９０２が設けられている。
【００６７】
また、計量装置Ｍ１、Ｍ２の下方には、計量装置Ｍ１、Ｍで計量された被計量物を個装用の樹脂袋の収容した状態で密封する密封装置９０３が設けられている。
【００６８】
この個装装置９００の動作を簡単に説明すると、まず、電源の投入により各部が動作を開始する。
【００６９】
次いで、ホッパー９０１に被計量物を投入すると、ホッパー９０１から計量装置Ｍ１、Ｍ２のターンテーブル１０１への被計量物の供給が開始される。
【００７０】
続いて、上述のような計量装置Ｍ（Ｍ１、Ｍ２）の動作により、所定の容量に計量された被計量物が基台１００の排出孔１５０から密封装置９０３に順次供給される。
【００７１】
密封装置９０３は、計量装置Ｍ（Ｍ１、Ｍ２）から供給される計量済みの被計量物を個装用の樹脂袋に順次包装し、密封して装置外に連続的に排出する。
【００７２】
このように、本実施の形態に係る計量装置Ｍを用いた被計量物の個装装置９００によれば、被計量物が甘酢漬けにした薄片生姜や紅生姜等の食品などの不定形であっても計量精度を向上させることができ、個装作業を効率的に行うことができる。
【００７３】
特に、甘酢漬けにした薄片生姜や紅生姜のような不定形で且つ含水性の被計量物について、食味を失わない程度に水分を抜きつつ計量して個装することが可能となる。
【００７４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００７５】
例えば、本実施の形態では、長穴２００について、当該長穴２００の底面側の全体から基台１００の表面１００ａが露出する場合を示したが、全体ではなく一部から基台１００の表面が露出していればよい。つまり、長穴２００の底面側の一部を塞いだり、底面を網目状に形成するようにしてもよい。その場合には、少なくとも押圧機構Ｐの押出ロッド３００が進退できる位置において基台１００の表面１００ａが露出するように構成する。
【産業上の利用可能性】
【００７６】
本発明による計量装置は、甘酢漬けにした薄片生姜や紅生姜等の各種食品や薬品等の粉状物などの計量に適用することができる。
【符号の説明】
【００７７】
Ｍ（Ｍ１、Ｍ２）  計量装置
１００  基台
１０１  ターンテーブル
１０１ａ  内壁
１０１ｂ  底面
１５０  排出孔
１５１  嵌合部
１５２  排水溝
２００  長穴
２０１  入れ子
２０１ａ  端部
２０１ｂ  作動子
３００  押出ロッド
４００  作動用長穴
５００  カム部材
５００ａ  カム溝
６００  押圧部材
６００ａ  押圧用羽根
６０１  軸
６０２  軸受部材
７００  丸刃
７５０  案内部材
８００  内壁部材
８０１  留め具
８０２  蓋部材
９００  個装装置
９０１  ホッパー
９０２  搬送装置
９０３  密封装置
９０４  個装用の樹脂袋の連続体
Ｂ  供給位置
Ｃ  圧縮手段
Ｄ  排出手段
Ｋ  切断手段
Ｐ  押圧機構
Ｒ  均し手段
Ｓ  空間
【図１】
0005550176.tif 000002
【図２】
0005550176.tif 000003
【図３】
0005550176.tif 000004
【図４】
0005550176.tif 000005
【図５】
0005550176.tif 000006
【図６】
0005550176.tif 000007
【図７】
0005550176.tif 000008
【図８】
0005550176.tif 000009
【図９】
0005550176.tif 000010
【図１０】
0005550176.tif 000011